(57)【要約】【課題】枠組壁工法で使用される複数種類の専用釘を無駄なく効率的に建築現場で使用するための新規な釘詰合せセットを提供する。【解決手段】枠組壁工法で使用される種類の異なる専用釘１ａ〜１ｇを、種別毎に分別して、１つの容器２に詰合せ梱包する。【選択図】図１
0003120068.tif 000002
【実用新案登録請求の範囲】
【請求項１】
枠組壁工法で使用される種類の異なる専用釘を、種別毎に分別して、１つの容器に詰合せ梱包したことを特徴とする枠組壁工法用の釘詰合せセット。
【請求項２】
請求項１において、
上記容器には、一定の建坪を単位として、その建坪に必要な分量の専用釘が、それぞれの種別毎に分別されて梱包されていること特徴とする枠組壁工法用の釘詰合せセット。
【請求項３】
請求項１または２において、
上記容器には、必要な種類の専用釘を区分して収容するための仕切りを設けていることを特徴とする枠組壁工法用の釘詰合せセット。
【請求項４】
請求項１〜３のいずれかにおいて、
上記容器の外面、内面などの適所には、梱包されている専用釘の種別と、それらの収容位置を示す表示がなされていることを特徴とする枠組壁工法用の釘詰合せセット。
【考案の詳細な説明】
【技術分野】
【０００１】
本考案は、枠組壁工法（ツーバイフォー工法）で使用される複数種類の専用釘を箱詰め梱包した釘詰合せセットに関するものである。
【背景技術】
【０００２】
ツーバイフォー住宅の建築には、種類の異なる専用釘が使用される。たとえば、ＪＩＳ規格で規定されているものとしてＣＮ−９０、ＣＮ−７５、ＣＮ−５０、ＣＮ−６５、ＧＮ−４０があり、ＣＮ釘は太め鉄丸釘で、主に床など木材同士の接合に使用され、ＧＮ釘は石こうボード用釘で、ＣＮ釘に比べて径が細く頭径が大きいことが特徴である。また、金物接合用として、ＺＮ−４０、ＺＮ−６５が使用される。なお、ＣＮ釘については、寸法に応じて色分けがされている。
【０００３】
在来軸組工法では、部材の継手、仕口を、木材を加工することにより行うことを原則としているため、釘は構造的には補助的な役割を有することが多いが、枠組壁工法においては、釘が建物の構造安全性を確保するための手段となるため、用途、使用箇所に応じて構造安全性を確保するために最も適した専用釘を使用する必要がある。
【０００４】
したがって、枠組壁工法においては、たとえ１種類の釘がなくなっても他の釘で代用することはできず、そのため建築現場では上記必須の専用釘を、不足することがないように準備しておかなければならない。
【０００５】
ところで、上記専用釘の全品種は枠組壁工法には必須のものであるが、１戸の住宅建築に必要とする数量は種別毎に異なり、上記のＣＮ−９０、ＣＮ−７５、ＣＮ−５０、ＣＮ−６５、ＺＮ−４０、ＺＮ−６５、ＧＮ−４０の使用量の重量比は、概ね、５：５：１：１：１：１：１である。また、釘の全量は建坪１５坪当たりで１５ｋｇ程度を必要としている。
【考案の開示】
【考案が解決しようとする課題】
【０００６】
ところが現在では、これらの専用釘は種類別に２０ｋｇ（内箱５ｋｇ×４個）または２５ｋｇ（内箱なし）の２形態で箱詰め販売されているため、建築作業者は、建築予定の住宅の建坪から換算した必要な本数（重量）や上記重量比に関係なく、全品種の専用釘を箱詰め単位で適当数持ち込んで、施工に使用している。
【０００７】
そのため、釘の種類によっては余剰分が多く発生することがあるが、持ち帰りが面倒なため、たいていの場合、開封した箱の余り釘は廃棄処分している。
【０００８】
このような無駄をなくすため、建築すべき住宅の建坪に応じて、あらかじめ種類ごとに必要分量を各梱包箱から取り出して現場に持ち込めばよいが、重量を測るなど、準備作業がきわめて面倒なため、そのような小分け準備はなされていなかった。
【０００９】
さらに、工務店や金物店などで上記専用釘を保管する場合には、複数種類の釘の梱包箱を個別に管理する必要があるが、そのような複数種類の箱の在庫管理を行うことはきわめて面倒であり、十分に管理されていないのが実情である。工務店などでは、１種類でも在庫のない状態が発生すれば工期遅れにもつながるため、そのような事態になることをおそれて、過剰在庫となることもあった。
【００１０】
本考案は、このような事情を考慮して提案されたもので、その目的は、枠組壁工法で使用される複数種類の専用釘を無駄なく効率的に建築現場で使用するための新規な釘詰合せセットを提供することにある。
【００１１】
なお、複数種類の釘の詰合せ方法や詰合せセットに関する先行技術文献は、見つかっていない。
【課題を解決するための手段】
【００１２】
上記目的を達成するために、請求項１に記載の枠組壁工法用の釘詰合せセットは、枠組壁工法で使用される種類の異なる専用釘を、種別毎に分別して、１つの容器に詰合せ梱包したことを特徴としている。
【００１３】
請求項２では、上記容器には、一定の建坪を単位として、その建坪に必要な分量の専用釘が、それぞれの種別毎に分別されて梱包されていること特徴とする。
【００１４】
請求項３では、上記容器には、必要な種類の専用釘を区分して収容するための仕切りを設けていることを特徴とする。
【００１５】
請求項４では、上記容器の外面、内面などの適所には、梱包されている専用釘の種別と、それらの収容位置を示す表示がなされていることを特徴とする。
【考案の効果】
【００１６】
請求項１に記載の枠組壁工法用の釘詰合せセットによれば、種類の異なる専用釘を種別毎に分別して１つの容器に詰合せ梱包しているため、建築現場にはこの１種類の容器を１〜複数個持ち込むだけでよく、作業効率がきわめてよい。複数個の容器を持ち込んだ場合には、必要に応じて順次開封していけばよいため、最終的に開封しなかった余剰の容器は箱単位で持ち帰ることができ、そのため、廃棄する釘を極力少なくすることができ経済的である。
【００１７】
また、工務店や金物店などで専用釘を保管する場合においても、複数種類の釘を個別に在庫管理する必要はなく、１種類の釘詰合せセットの箱を管理するだけでよいため、在庫管理の手間もほとんどかからない。
【００１８】
特に、請求項２に記載の釘詰合せセットによれば、一定の建坪を単位として、その建坪に必要な分量の専用釘が種別毎に分別されて梱包されているため、建築を予定している住宅の建坪数に応じて算出した数の容器を準備すれば、現場への持込数を極力少なくすることができる。また、一般的使用比率にもとづく重量比あるいは本数比によって複数種類の専用釘を詰め合せれば、さらに無駄がなく効率的である。
【００１９】
請求項３に記載の釘詰合せセットによれば、容器に、専用釘を区分して収容するための仕切りを設けているため、使い勝手がよい。また、仕切りがあるため個装せずにバラで収容させておくこともできる。
【００２０】
請求項４に記載の釘詰合せセットによれば、上記容器の外面、内面などの適所には、梱包されている専用釘の種別と、それらの収容位置を示す表示がなされているため、釘の取り出しがしやすい。
【考案を実施するための最良の形態】
【００２１】
以下に、本発明の実施の形態について、添付図面とともに説明する。
【実施例１】
【００２２】
図１（ａ）は本考案の枠組壁工法用の釘詰合せセットに使用する容器の開口状態を示した斜視図、（ｂ）は各専用釘の収容位置を示した容器の開口状態の平面図である。なお本実施例では、容器としてダンボール箱などの蓋付きの（外）箱２を使用しているが、これには限定されない。
【００２３】
この釘詰合せセット１０に使用する外箱２は、本体２ａと蓋２ｂとより構成され、本体２ａ内には、後述する複数種類の釘１ａ〜１ｇを区分するための仕切り３を設けている。また、本体２ａや蓋２ｂの外側面には商品ラベル５を、蓋２ｂの裏側面には各釘の収容位置を示したレイアウトラベル４を貼付している。
【００２４】
仕切り３によって区切られた各空間Ｓ・・・には、枠組壁工法で使用される種類の異なる専用釘１ａ〜１ｇを、種別毎に包装して収容し、詰合せ梱包している。
【００２５】
外箱２内に収容する専用釘には、たとえば、床、壁などの木材接合に使用するＣＮ−９０（１ａ）、ＣＮ−７５（１ｂ）、ＣＮ−５０（１ｃ）、ＣＮ−６５（１ｄ）、金物接合に使用するＺＮ−４０（１ｅ）、ＺＮ−６５（１ｆ）、石こうボード用に使用するＧＮ−４０（１ｇ）がある。なお、上記品番に含まれる数字は釘の長さ（ｍｍ）を示すものである。
【００２６】
これら７品種の専用釘１ａ〜１ｇは、ツーバイフォー住宅の建築に必須のものであり、一般的なツーバイフォー住宅では建坪１５坪当たり、ＣＮ−９０（１ａ）を５ｋｇ、ＣＮ−７５（１ｂ）を５ｋｇ、ＣＮ−５０（１ｃ）を１ｋｇ、ＣＮ−６５（１ｄ）を１ｋｇ、ＺＮ−４０（１ｅ）を１ｋｇ、ＺＮ−６５（１ｆ）を１ｋｇ、ＧＮ−４０（１ｇ）を１ｋｇ、計１５ｋｇ程度の釘を必要とし、上記の重量比で、外箱２内に分別梱包されている。仕切り３による各空間Ｓ・・・の容積も、概ねその重量比に応じて形成されている。
【００２７】
なお、収容すべき専用釘１ａ〜１ｇの重量および重量比は、ツーバイフォー住宅の建築実績などから算出したものを採用すればよい。また、収容すべき釘の全重量は、持ち運びを考慮した重量（たとえば１０ｋｇ、５ｋｇなど）でもよい。その場合でも、あらかじめ定めた重量比あるいは本数比で収容すればよい。
【００２８】
また、各専用釘１ａ〜１ｇは、種別毎にまとめて包装されており、図２に示すように、（内）箱Ｐで包装したものでもよいし、袋Ｂで包装したものでもよい。これらの内箱Ｐ、袋Ｂの表面には、品番Ｎ等を表示している。本例では、ＣＮ−９０（１ａ）、ＣＮ−７５（１ｂ）を内箱Ｐで、その他の釘１ｃ〜１ｇを袋Ｂで個装している。なお、図２（ａ）のＴは梱包用の粘着テープである。
【００２９】
なお、各専用釘１ａ〜１ｇは、外箱２内に形成された各空間Ｓ・・・にバラで収容してもよいし、仕切り２を設けずに個装状態で収容してもよく、少なくとも各釘１ａ〜１ｇが分別されていればよい。
【００３０】
このように、専用釘１ａ〜１ｇを種別毎に分別して詰合せ梱包しているため、建築現場には、釘毎の複数種類の箱を持ち込む必要がなく、この１種類の釘詰合せセット１０を１〜複数個持ち込むだけでよく、そのため箱の取り違えが発生することはなく、かつ、全ての釘が１つの箱に収容されているため作業効率がきわめてよい。また、釘詰合せセット１０を複数個持ち込んだ場合には、作業に応じて順次開封していけばよいため、開封しなかった釘詰合せセット１０を箱単位で持ち帰ることができ、そのため、廃棄する釘を極力少なくすることができ経済的である。
【００３１】
また、単位建坪当たりで梱包された１種類の釘詰合せセット１０を使用すれば、工務店や金物店などで専用釘１ａ〜１ｇを保管する場合においても複数種類の釘を種類毎に在庫管理する必要はなく、この釘詰合せセット１０の箱を管理するだけでよいため、在庫管理の手間もほとんどかからない。
【００３２】
特に、一定の建坪を単位として、その建坪に必要な分量の専用釘１ａ〜１ｇが種別毎に分別されて梱包されているため、建築を予定している住宅の建坪の坪数に応じて算出した箱数を準備すれば、建築現場への持込数を極力少なくすることができる。本実施例では建坪１５坪を１単位としているので、たとえば４０坪の建坪の住宅を建築する場合には、釘詰合せセット１０を３個準備すればよい。なお、なるべく少量単位でセット詰めすれば、余剰釘をさらに少なくすることができ、また持ち運びにも便利である。
【００３３】
また、複数種類の専用釘１ａ〜１ｇを、ツーバイフォー住宅を建築する場合の一般的な釘の使用比率（重量比あるいは本数比）にもとづいて詰め合せれば、現場での釘の減り方に種別間で偏りがなく、さらに無駄なく効率的である。
【００３４】
図３は各種ラベル４、５の表示例で、（ａ）は各専用釘１ａ〜１ｇの収容位置を印刷したレイアウトラベル４、（ｂ）は商品ラベル５の印刷内容を示した図である。
【００３５】
レイアウトラベル４は、各専用釘１ａ〜１ｇの収容位置を平面図示したもので、種別（品番）や重量、釘頭部の色などが印字されている。また、商品ラベル５には、何坪用のものかを示す坪数や、梱包されている専用釘の品番一覧などが印字されている。
【００３６】
レイアウトラベル４による種別とその収容位置表示によれば、釘の種別毎の収容位置がひと目でわかり、現場での釘の取り出しを間違うことがなく、また梱包する際の収容位置の誤りも防止できる。また商品ラベル５によれば、梱包されている釘の種類や何坪用のものかがひと目でわかり、外箱２の取り扱いがしやすい。
【００３７】
これらの収容位置表示や商品表示は、外箱２に直接印刷したものであってもよい。また、レイアウトラベル３は、釘頭部の色に合わせて色分けしてもよいし、各釘の外形や特徴部分を図示してもよい。なお、レイアウトラベル３などによる収容位置表示は、特に必須のものではない。
【００３８】
また、箱詰め梱包する際の収容位置の誤りを防止するために、外箱２内の各空間Ｓ・・・の底面に品番等を表示するようにしてもよい。
【図面の簡単な説明】
【００３９】
【図１】（ａ）は本考案の枠組壁工法用の釘詰合せセットで使用する容器の開口状態を示した斜視図、（ｂ）は各専用釘を収容した容器の開口状態を示した平面図である。
【図２】各専用釘の個別包装体を示す図で、（ａ）は内箱、（ｂ）は袋の外形図である。
【図３】（ａ）は各専用釘の種別とその収容位置を印刷したレイアウトラベル、（ｂ）は商品ラベルである。
【符号の説明】
【００４０】
１０      枠組壁工法用の釘詰合せセット
１ａ〜１ｇ      枠組壁工法で使用する専用釘
２      容器（外箱）
２ａ      箱本体
２ｂ      蓋
３      仕切り
４      レイアウトラベル
５      商品ラベル
【図１】
0003120068.tif 000003
【図２】
0003120068.tif 000004
【図３】
0003120068.tif 000005